(57)【特許請求の範囲】
【請求項１】
入場処理に必要な入場処理情報を含む第１二次元コードに対応した第１改札情報、または、出場処理に必要な出場処理情報を含み第１二次元コードとは異なる第２二次元コードに対応した第２改札情報をセンターサーバから受信する受信手段と、
前記受信手段により受信した第１改札情報に対応した第１二次元コード、または、前記受信手段により受信した第２改札情報に対応した第２二次元コードを表示する表示手段と、
を備えたことを特徴とする携帯端末機器。
【請求項２】
入場処理情報は未入場である旨の未入場情報を含み、出場処理情報は入場済みである旨の入場済情報を含むことを特徴とする請求項１に記載の携帯端末機器。
【請求項３】
さらに、前記受信手段により受信した第１改札情報または第２改札情報を記憶する記憶手段を備えたことを特徴とする請求項１に記載の携帯端末機器。
【請求項４】
さらに、第１二次元コードまたは第２二次元コードの表示指示を受け付ける入力手段を備えたことを特徴とする請求項１に記載の携帯端末機器。
【請求項５】
さらに、前記受信手段により受信した第１改札情報または第２改札情報を記憶する記憶手段と、
第１二次元コードまたは第２二次元コードの表示指示を受け付ける入力手段と、を備え、
前記表示手段は、前記入力手段により第１二次元コードの表示指示を受け付けたのに基づいて前記記憶手段に記憶された第１改札情報に対応した第１二次元コードを表示し、前記入力手段により第２二次元コードの表示指示を受け付けたのに基づいて前記記憶手段に記憶された第２改札情報に対応した第２二次元コードを表示することを特徴とする請求項１に記載の携帯端末機器。
【請求項６】
さらに、センターサーバから第１改札情報を受信するのに必要な購入情報及び携帯端末機器の識別情報をセンターサーバに送信する送信手段を備えたことを特徴とする請求項１に記載の携帯端末機器。
【請求項７】
購入情報及び携帯端末機器の識別情報を受信する第１受信手段と、
前記第１受信手段により受信した購入情報に基づいて生成した入場処理に必要な入場処理情報を含む第１二次元コードに対応した第１改札情報を、前記第１受信手段により受信した識別情報の携帯端末機器に送信する第１送信手段と、
入場済みである旨の入場記録情報及び携帯端末機器の識別情報を改札機から受信する第２受信手段と、
前記第２受信手段により受信した入場記録情報に基づいて生成した出場処理に必要な出場処理情報を含み第１二次元コードとは異なる第２二次元コードに対応した第２改札情報を、前記第２受信手段により受信した識別情報の携帯端末機器に送信する第２送信手段と、
を備えたことを特徴とするセンターサーバ。
【請求項８】
さらに、改札機から、出場済みである旨の出場記録情報及び携帯端末機器の識別情報を受信する第３受信手段を備えたことを特徴とする請求項７に記載のセンターサーバ。
【請求項９】
携帯端末機器に表示された第１二次元コードまたは第１二次元コードとは異なる第２二次元コードを読み取る読取手段と、
前記読取手段により読み取られた前記第１二次元コードから、未入場である旨の未入場情報を含む入場処理に必要な入場処理情報及び携帯端末機器の識別情報をデコードし、入場の可否を判定する入場処理手段と、
前記読取手段により読み取られた前記第２二次元コードから、入場済みである旨の入場済情報を含む出場処理に必要な出場処理情報及び携帯端末機器の識別情報をデコードし、出場の可否を判定する出場処理手段と、
を備えたことを特徴とする改札機。
【請求項１０】
さらに、前記入場処理手段により入場可と判定されたのに基づいて、前記識別情報の携帯端末機器が入場済みである旨の入場記録情報をセンターサーバに送信する入場記録送信手段と、
前記出場処理手段により出場可と判定されたのに基づいて、前記識別情報の携帯端末機器が出場済みである旨の出場記録情報をセンターサーバに送信する出場記録送信手段と、を備えたことを特徴とする請求項９に記載の改札機。
【発明の詳細な説明】
【技術分野】
【０００１】
本発明の実施形態は、携帯端末機器、センターサーバ、及び、改札機に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券や乗車券などの券媒体の改札情報に基づいて入場処理または出場処理といった改札処理を行う。
【０００３】
このような改札機を利用するための券媒体としては、改札情報を磁気情報として記録した磁気式の券媒体や、改札情報を記憶したメモリを有し改札機との間で無線通信が可能な券媒体（ＩＣチップを内蔵したＩＣカードや携帯端末機器などを含む）などが実用化されている。
【０００４】
また、近年では、券媒体として、二次元コードからなる券情報を有する携帯端末機器、二次元コードが印刷された媒体を利用し、入出場処理等を行う券情報処理システムが提案されている。特に、紙などの原券媒体に二次元コードを印刷して券媒体として運用することを想定した場合、不正使用への対策が要求される。
【先行技術文献】
【特許文献】
【０００５】
【特許文献１】特開２００６−５９２４９号公報
【発明の概要】
【発明が解決しようとする課題】
【０００６】
本実施形態の目的は、二次元コードを利用した改札システムにおいて、不正使用を抑制することが可能な携帯端末機器、センターサーバ、及び、改札機を提供することにある。
【課題を解決するための手段】
【０００７】
本実施形態によれば、
入場処理に必要な入場処理情報を含む第１二次元コードに対応した第１改札情報、または、出場処理に必要な出場処理情報を含み第１二次元コードとは異なる第２二次元コードに対応した第２改札情報をセンターサーバから受信する受信手段と、前記受信手段により受信した第１改札情報に対応した第１二次元コード、または、前記受信手段により受信した第２改札情報に対応した第２二次元コードを表示する表示手段と、を備えたことを特徴とする携帯端末機器が提供される。
【０００８】
本実施形態によれば、
購入情報及び携帯端末機器の識別情報を受信する第１受信手段と、前記第１受信手段により受信した購入情報に基づいて生成した入場処理に必要な入場処理情報を含む第１二次元コードに対応した第１改札情報を、前記第１受信手段により受信した識別情報の携帯端末機器に送信する第１送信手段と、入場済みである旨の入場記録情報及び携帯端末機器の識別情報を改札機から受信する第２受信手段と、前記第２受信手段により受信した入場記録情報に基づいて生成した出場処理に必要な出場処理情報を含み第１二次元コードとは異なる第２二次元コードに対応した第２改札情報を、前記第２受信手段により受信した識別情報の携帯端末機器に送信する第２送信手段と、を備えたことを特徴とするセンターサーバが提供される。
【０００９】
本実施形態によれば、
携帯端末機器に表示された第１二次元コードまたは第１二次元コードとは異なる第２二次元コードを読み取る読取手段と、前記読取手段により読み取られた前記第１二次元コードから、未入場である旨の未入場情報を含む入場処理に必要な入場処理情報及び携帯端末機器の識別情報をデコードし、入場の可否を判定する入場処理手段と、前記読取手段により読み取られた前記第２二次元コードから、入場済みである旨の入場済情報を含む出場処理に必要な出場処理情報及び携帯端末機器の識別情報をデコードし、出場の可否を判定する出場処理手段と、を備えたことを特徴とする改札機が提供される。
【図面の簡単な説明】
【００１０】
【図１】図１は、本実施形態における改札システムの構成を概略的に示すブロック図である。
【図２】図２は、図１に示したセンターサーバの構成を概略的に示す図である。
【図３】図３は、図１に示した改札機の構成を概略的に示す図である。
【図４】図４は、図１に示した携帯端末機器の構成を概略的に示す図である。
【図５】図５は、図１に示した改札システムにおける各種情報のやり取りを説明するためのフローチャートである。
【図６】図６は、図１に示した改札システムにおける入場処理と各種情報のやり取りを説明するためのフローチャートである。
【図７】図７は、図１に示した改札システムにおける出場処理と各種情報のやり取りを説明するためのフローチャートである。
【発明を実施するための形態】
【００１１】
以下、本実施形態について、図面を参照しながら詳細に説明する。なお、各図において、同一又は類似した機能を発揮する構成要素には同一の参照符号を付し、重複する説明は省略する。
【００１２】
図１は、本実施形態における改札システムの構成を概略的に示すブロック図である。
【００１３】
この改札システムは、センターサーバ１、駅サーバ２、改札機３、駅端末機４などによって構成されている。駅サーバ２は、各駅に設置されている。この駅サーバ２は、専用回線を介してセンターサーバ１と接続されており、センターサーバ１との間で各種情報を授受することが可能である。改札機３は、各駅の改札口において利用者が通行可能な改札通路に沿って設置されている。この改札機３は、専用回線を介して駅サーバ２と接続されており、駅サーバ２との間で各種情報を授受することが可能である。駅端末機４は、各駅の駅構外などに設置されている。この駅端末機４は、専用回線を介して駅サーバ２と接続されており、駅サーバ２との間で各種情報を授受することが可能である。なお、これらの改札機３及び駅端末機４は、駅サーバ２を介してセンターサーバ１との間で各種情報を授受することも可能である。
【００１４】
このような改札システムにおいて、入場処理及び出場処理といった改札処理に利用される媒体は、携帯端末機器５である。この携帯端末機器５は、センターサーバ１との間で通信可能であり、センターサーバ１との間で各種情報を授受することが可能である。この携帯端末機器５は、センターサーバ１から受信した改札情報に対応した二次元コードを表示することが可能である。本改札システムは、このような携帯端末機器５に表示された二次元コードを利用して改札処理を行うものである。
【００１５】
以下に、各機器の構成についてより具体的に説明する。  
図２は、図１に示したセンターサーバ１の構成を概略的に示す図である。  
センターサーバ１は、制御部１１、通信部１２、メモリ１３などを備えて構成されている。通信部１２は、第１受信手段、第１送信手段、第２受信手段、第２送信手段、及び、第３受信手段として機能する。
【００１６】
制御部１１は、センターサーバ１を構成する各部の制御のみならず、改札システム全体の制御を行う。通信部１２は、制御部１１による制御に基づいて、駅サーバ２、改札機３、駅端末機４、携帯端末機器５などの各機器との間で通信を行う。より具体的には、通信部１２は、例えば、駅端末機４あるいは携帯端末機器５からセンターサーバ１に送信された各種情報（例えば、乗車券や入場券などの券媒体を購入するのに必要な購入情報、携帯端末機器５の識別情報など）を受信したり、センターサーバ１から携帯端末機器５に各種情報（例えば、入場処理に必要な入場処理情報を含む第１二次元コードに対応した第１改札情報、出場処理に必要な出場処理情報を含む第２二次元コードに対応した第２改札情報など）を送信したり、改札機３からセンターサーバ１に送信された各種情報（例えば、入場済みである旨の入場記録情報、出場済みである旨の出場記録情報、携帯端末機器５の識別情報など）を受信したりする。メモリ１３は、携帯端末機器５の制御に必要な制御データや、通信部５２により送受信した各種情報などを記憶している。
【００１７】
図３は、図１に示した改札機３の構成を概略的に示す図である。  
改札機３は、制御部３１、入場記録送信手段及び出場記録送信手段として機能する通信部３２、メモリ３３、表示部３４、ドア制御部３５、読取手段として機能する読取部３６、入場処理手段として機能する入場処理部３７、出場処理手段として機能する出場処理部３８などを備えて構成されている。
【００１８】
制御部３１は、改札処理に際して、改札機３を構成する各部の制御を行う。通信部３２は、制御部３１による制御に基づいて、駅サーバ２あるいはセンターサーバ１などとの間で通信を行う。より具体的には、通信部３２は、例えば、改札機３からセンターサーバ１に各種情報（例えば、入場記録情報、出場記録情報、改札処理を行った携帯端末機器５の識別情報など）を送信したりする。
【００１９】
メモリ３３は、改札機３の制御に必要な制御データや、通信部３２により送受信した各種情報、読取部３６により読み取った各種情報などを記憶している。表示部３４は、例えば、液晶表示器などで構成されている。この表示部３４は、制御部３１による制御に基づいて、改札機３を利用する利用者に対して操作を案内する画面や改札処理の結果などに対応した案内画面を表示する。
【００２０】
ドア制御部３５は、制御部３１による制御に基づいて、改札機３に設けられているドア機構３５Ａの開閉を制御するものであり、入場処理部３７における入場処理や出場処理部３８における出場処理の結果に対応して改札通路を開放したり閉鎖したりする。読取部３６は、制御部３１による制御に基づいて、利用者が持参する携帯端末機器５から第１二次元コードまたは第２二次元コードを光学的に読み取る。
【００２１】
入場処理部３７は、制御部４１による制御に基づいて、読取部３６により読み取られた第１二次元コードから入場処理に必要な入場処理情報及び当該携帯端末機器５の識別情報をデコードし、入場処理を行う。より具体的には、入場処理部３７は、これらのデコードした入場処理情報及び識別情報に基づいて、駅構内への入場の可否を判定する。
【００２２】
出場処理部３８は、制御部４１による制御に基づいて、読取部３６により読み取られた第２二次元コードから出場処理に必要な出場処理情報及び当該携帯端末機器５の識別情報をデコードし、出場処理を行う。より具体的には、出場処理部３８は、これらのデコードした出場処理情報及び識別情報に基づいて、駅構内からの出場の可否を判定する。
【００２３】
図４は、図１に示した携帯端末機器５の構成を概略的に示す図である。  
携帯端末機器５は、制御部５１、受信手段及び送信手段として機能する通信部５２、記憶手段として機能するメモリ５３、入力手段として機能する操作部５４、表示手段として機能する表示部５５などを備えて構成されている。
【００２４】
制御部５１は、携帯端末機器５を構成する各部の制御を行う。通信部５２は、制御部５１による制御に基づいて、センターサーバ１との間で通信を行う。より具体的には、通信部５２は、例えば、携帯端末機器５からセンターサーバ１に各種情報（例えば、購入情報、携帯端末機器５の識別情報など）を送信したり、センターサーバ１から携帯端末機器５に送信された各種情報（例えば、第１二次元コードに対応した第１改札情報、第２二次元コードに対応した第２改札情報など）を受信したりする。メモリ５３は、携帯端末機器５の制御に必要な制御データや、通信部５２により送受信した各種情報などを記憶している。
【００２５】
操作部５４は、例えば、各種ボタンや、接触を検知したのに基づいて対応する情報を出力するタッチパネルなどで構成されている。この操作部５４は、制御部５１による制御に基づいて、利用者による各種操作の入力を受け付ける。より具体的には、操作部５４は、乗車券や入場券などの券媒体を購入するのに必要な購入情報の入力を受け付ける。また、操作部５４は、第１二次元コードに対応した第１改札情報を受信する携帯端末機器５の識別情報の入力を受け付けても良い。また、この操作部５４は、入力された各種情報をセンターサーバ１に送信する送信指示や、センターサーバ１から第１改札情報または第２改札情報を受信する受信指示、受信した第１改札情報に対応した第１二次元コードまたは第２改札情報に対応した第２二次元コードを表示する表示指示を受け付けても良い。
【００２６】
表示部５５は、例えば、液晶表示器などで構成されている。この表示部５５は、制御部５１による制御に基づいて、利用者に対して各種操作を案内する画面や、第１二次元コードまたは第２二次元コードなどを表示する。
【００２７】
なお、駅端末機４については詳細な説明を省略するが、携帯端末機器５と同様に、購入情報及び携帯端末機器５の識別情報の入力を受け付け、入力された各種情報をセンターサーバ１に送信する機能を有している。
【００２８】
また、ここでは詳細な説明を省略するが、駅端末機４や携帯端末機器５からセンターサーバ１に対して購入情報等を送信する際には、券媒体を購入するのに必要な対価の決済は完了しているものとする。
【００２９】
図５は、図１に示した改札システムにおける各種情報のやり取りを説明するためのフローチャートである。  
まず、携帯端末機器５において、操作部５４は、センターサーバ１から第１改札情報を受信するのに必要な購入情報及びセンターサーバ１から第１改札情報を受信する携帯端末機器５の識別情報の入力を受け付ける（ＳＴ１）。このとき、購入情報としては、例えば、利用開始日、発駅、着駅、区間、有効期限などの各種情報の入力を受け付ける。また、識別情報としては、例えば、メールアドレスや、電話番号、その他のＩＤなどの入力を受け付ける。
【００３０】
そして、操作部５４は、入力された購入情報及び識別情報をセンターサーバ１に送信する送信指示の入力を受け付ける（ＳＴ２）。通信部５２は、操作部５４による送信指示の入力を受け付けたのに基づいて（ＳＴ３、ＹＥＳ）、購入情報及び識別情報をセンターサーバ１に送信する（ＳＴ４）。上記の通り、ここまでのステップについては、駅端末機４で行うことも可能である。
【００３１】
続いて、センターサーバ１において、通信部１２は、駅端末機４あるいは携帯端末機器５から送信された購入情報及び識別情報を受信する（ＳＴ５）。受信した購入情報及び識別情報は、メモリ１３に記憶される。そして、通信部１２は、受信した購入情報に基づいて生成した入場処理に必要な入場処理情報及び受信した識別情報を含む第１二次元コードに対応した第１改札情報を、受信した識別情報の携帯端末機器５に送信する（ＳＴ６）。なお、このような第１二次元コード（もしくはこれに対応した第１改札情報）は、例えば、制御部１１において、入場処理情報や識別情報などをエンコードすることによって生成される。入場処理情報には、例えば、利用開始日、発駅、着駅、区間、有効期限に加えて、未入場である旨の未入場情報も含まれる。
【００３２】
続いて、携帯端末機器５において、通信部５２は、センターサーバ１から送信された第１改札情報を受信する（ＳＴ７）。受信した第１改札情報は、メモリ５３に記憶される。そして、操作部５４は、受信した第１改札情報に対応した第１二次元コードの表示指示を受け付ける（ＳＴ８）。表示部５５は、操作部５４による表示指示の入力を受け付けたのに基づいて（ＳＴ９、ＹＥＳ）、メモリ５３に記憶された第１改札情報に対応した第１二次元コードを表示する（ＳＴ１０）。
【００３３】
なお、ここでは、受信した第１改札情報を一旦メモリ５３に記憶し、操作部５４による表示指示の入力を受け付けたのに基づいて表示部５５に第１二次元コードを表示したが、例えば、操作部５４により、センターサーバ１から第１改札情報を受信する受信指示の入力を受け付けたのに基づいて第１改札情報を受信し、受信した第１改札情報に対応した第１二次元コードを表示部５５に表示するようにしても良い。
【００３４】
図６は、図１に示した改札システムにおける入場処理と各種情報のやり取りを説明するためのフローチャートである。  
まず、改札機３において、読取部３６は、利用者によって翳された携帯端末機器５の表示部５５に表示されている第１二次元コードを読み取る（ＳＴ１１）。そして、入場処理部３７は、読取部３６により読み取られた第１二次元コードから、入場処理情報及び識別情報をデコードし、入場の可否を判定する（ＳＴ１２）。
【００３５】
入場処理部３７は、入場処理情報に未入場である旨の未入場情報が含まれ、しかも、当該入場駅が区間内に含まれ、有効期限内である場合に、入場可と判定する（ＳＴ１２、ＹＥＳ）。ドア制御部３５は、入場処理部３７が入場可と判定した場合には、ドア機構４５Ａを駆動し、改札通路を開放する。
【００３６】
入場処理部３７は、入場処理情報に未入場情報が含まれていない場合や、区間や期限が条件を満たさない場合に、入場不可と判定する（ＳＴ１２、ＮＯ）。ドア制御部３５は、入場処理部３７が入場不可と判定した場合には、ドア機構４５Ａを駆動し、改札通路を閉鎖する。そして、制御部３１は、一連の処理を終了する。
【００３７】
そして、通信部３２は、入場処理部３７が入場可と判定したのに基づいて（ＳＴ１２、ＹＥＳ）、第１二次元コードからデコードした識別情報及び当該識別情報の携帯端末機器５が入場済みである旨の入場記録情報をセンターサーバ１に送信する（ＳＴ１３）。この入場記録情報には、入場日時、入場駅などの情報が含まれる。
【００３８】
続いて、センターサーバ１において、通信部１２は、改札機３から送信された識別情報及び入場記録情報を受信する（ＳＴ１４）。受信した識別情報及び入場記録情報は、メモリ１３に記憶される。そして、通信部１２は、受信した入場記録情報に基づいて生成した出場処理に必要な出場処理情報及び受信した識別情報を含む第２二次元コードに対応した第２改札情報を、受信した識別情報の携帯端末機器５に送信する（ＳＴ１５）。なお、このような第２二次元コード（もしくはこれに対応した第２改札情報）は、例えば、制御部１１において、出場処理情報や識別情報などをエンコードすることによって生成される。出場処理情報には、例えば、利用開始日、発駅、着駅、区間、有効期限に加えて、入場済みである旨の入場済情報も含まれる。この入場済情報には、入場日時、入場駅などの情報が含まれる。
【００３９】
本実施形態において、同一の識別情報の携帯端末機器５に送信される第１二次元コード（もしくはこれに対応した第１改札情報）と第２二次元コード（もしくはこれに対応した第２改札情報）とは異なるものである。つまり、第１二次元コードは未入場情報を含む一方で、第２二次元コードは入場済情報を含んでおり、それぞれの二次元コードに含まれる入場状態を示す情報が相違している。したがって、表示部５５に表示された第１二次元コードのパターンは、表示部５５に表示された第２二次元コードのパターンと相違している。
【００４０】
続いて、携帯端末機器５において、通信部５２は、センターサーバ１から送信された第２改札情報を受信する（ＳＴ１６）。受信した第２改札情報は、メモリ５３に記憶される。そして、操作部５４は、受信した第２改札情報に対応した第２二次元コードの表示指示を受け付ける（ＳＴ１７）。表示部５５は、操作部５４による表示指示の入力を受け付けたのに基づいて（ＳＴ１８、ＹＥＳ）、メモリ５３に記憶された第２改札情報に対応した第２二次元コードを表示する（ＳＴ１９）。
【００４１】
なお、ここでは、受信した第２改札情報を一旦メモリ５３に記憶し、操作部５４による表示指示の入力を受け付けたのに基づいて表示部５５に第２二次元コードを表示したが、例えば、操作部５４により、センターサーバ１から第２改札情報を受信する受信指示の入力を受け付けたのに基づいて第２改札情報を受信し、受信した第２改札情報に対応した第２二次元コードを表示部５５に表示するようにしても良い。
【００４２】
図７は、図１に示した改札システムにおける出場処理と各種情報のやり取りを説明するためのフローチャートである。  
まず、改札機３において、読取部３６は、利用者によって翳された携帯端末機器５の表示部５５に表示されている第２二次元コードを読み取る（ＳＴ２１）。そして、出場処理部３８は、読取部３６により読み取られた第２二次元コードから、出場処理情報及び識別情報をデコードし、出場の可否を判定する（ＳＴ２２）。
【００４３】
出場処理部３８は、出場処理情報に入場済みである旨の入場済情報が含まれ、しかも、当該出場駅が区間内に含まれ、有効期限内である場合に、出場可と判定する（ＳＴ２２、ＹＥＳ）。ドア制御部３５は、出場処理部３８が出場可と判定した場合には、ドア機構４５Ａを駆動し、改札通路を開放する。
【００４４】
出場処理部３８は、出場処理情報に入場済情報が含まれていない場合や、区間や期限が条件を満たさない場合に、出場不可と判定する（ＳＴ２２、ＮＯ）。ドア制御部３５は、出場処理部３８が出場不可と判定した場合には、ドア機構４５Ａを駆動し、改札通路を閉鎖する。そして、制御部３１は、一連の処理を終了する。
【００４５】
そして、通信部３２は、出場処理部３８が出場可と判定したのに基づいて（ＳＴ２２、ＹＥＳ）、第２二次元コードからデコードした識別情報及び当該識別情報の携帯端末機器５が出場済みである旨の出場記録情報をセンターサーバ１に送信する（ＳＴ２３）。この出場記録情報には、出場日時、出場駅などの情報が含まれる。
【００４６】
続いて、センターサーバ１において、通信部１２は、改札機３から送信された識別情報及び出場記録情報を受信する（ＳＴ２４）。受信した識別情報及び出場記録情報は、メモリ１３に記憶される。そして、制御部１１は、識別情報及び出場記録情報の受信により、利用者の入出場が完了したと判断し、一連の処理を終了する。
【００４７】
このような改札システムを構成するセンターサーバ１によれば、携帯端末機器５に対して、入場処理の際と出場処理の際とで異なる二次元コード（もしくはこの二次元コードに対応した改札情報）を送信する。また、これらの二次元コードは、入場状態（つまり、未入場か入場済みであるか）によって異なる。すなわち、入場処理の際に送信される第１二次元コード（もしくは第１二次元コードに対応した第１改札情報）は未入場である旨の未入場情報を含んでおり、出場処理の際に送信される第２二次元コード（もしくは第２二次元コードに対応した第２改札情報）は入場済みである旨の入場済情報を含んでいる。このため、不正使用を抑制することが可能となる。
【００４８】
また、本改札システムを構成する改札機３によれば、入場処理の際に携帯端末機器５から読み取った第１二次元コードに未入場情報が含まれているか否かを判断することによって入場処理の際の不正使用を抑制することが可能となる。また、出場処理の際に携帯端末機器５から読み取った第２二次元コードに入場済情報が含まれているか否かを判断し、この入場済情報が含まれていればいつどこで入場したかを把握することができるため、出場処理の際の不正使用を抑制することが可能となる。
【００４９】
また、本改札システムに適用される携帯端末機器５によれば、センターサーバ１から受信した第１改札情報に基づいて第１二次元コードを表示させ、改札機３に読み取らせることにより、適正な入場処理を行うことが可能となる。また、センターサーバ１から受信した第２改札情報に基づいて第２二次元コードを表示させ、改札機３に読み取らせることにより、適正な出場処理を行うことが可能となる。
【００５０】
以上説明したように、本実施形態によれば、二次元コードを利用した改札システムにおいて、不正使用を抑制することが可能な携帯端末機器、センターサーバ、及び、改札機を提供することができる。
【００５１】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５２】
１…センターサーバ
１１…制御部
１２…通信部（第１受信手段、第１送信手段、第２受信手段、第２送信手段、第３受信手段）
３…改札機
３１…制御部
３２…通信部（入場記録送信手段、出場記録送信手段）
３６…読取部（読取手段）
３７…入場処理部（入場処理手段）
３８…出場処理部（出場処理手段）
５…携帯端末機器
５１…制御部
５２…通信部（受信手段、送信手段）
５３…メモリ（記憶手段）
５４…操作部（入力手段）
５５…表示部（表示手段）
【図１】
0005481331.tif 000002
【図２】
0005481331.tif 000003
【図３】
0005481331.tif 000004
【図４】
0005481331.tif 000005
【図５】
0005481331.tif 000006
【図６】
0005481331.tif 000007
【図７】
0005481331.tif 000008